(57)【要約】液体容器（４）、たとえばバイアル、フラスコなどを閉止するための閉止キャップであって、キャップを取り外すことなく容器から液体を抜き取り、その後、キャップを再び閉止するための抜き取り手段（１４）と、容器の内容物の正真正銘性を証明するための保護手段（２２）とを有し、スカート部（２）及びカバー（３）、カバー中の凹んだトラフ（６）、トラフの円柱形部分（７）に着座する球形ベアリング部（１５）を有するたたみ込み可能な流し口（１４）ならびに流し口の中を長手方向に延びる通路（１７）を特徴とする閉止キャップ。
2004502603.tif 000002
【特許請求の範囲】
【請求項１】
液体容器、たとえばバイアル、フラスコなどを閉止するための閉止キャップであって、前記キャップを取り外すことなく前記容器から液体を抜き取り、その後、前記キャップを再び閉止するための抜き取り手段と、前記容器の内容物の正真正銘性を証明するための保護手段とを有し、スカート部及びカバー、前記カバー中の凹んだトラフ、前記トラフの円柱形部分に着座する球形ベアリング部を有するたたみ込み可能な流し口ならびに前記流し口の中を長手方向に延びる通路を特徴とする閉止キャップ。
【発明の詳細な説明】
【０００１】
本発明は、液体容器、たとえばバイアル、フラスコなどを閉止するための閉止キャップであって、キャップを取り外すことなく容器から液体を抜き取り、その後、再び閉止するための抜き取り手段と、容器の内容物の正真正銘性を証明するための保護手段とを有する閉止キャップに関する。
【０００２】
ボトルに含まれる液体の少量を抜き取り、その後、再び閉止するための抜き取り手段を備えたボトル閉止キャップは、日常生活で、たとえば液体石鹸、シャンプー、香辛料などに関して周知である。これらの閉止キャップの大部分は、不正行為防止性である必要はない。不正行為防止性でなければならないならば、通常、初めて開封されるときに破られる別個のシールが設けられる。
【０００３】
容器内容物の正真正銘性が絶対的に重要であり、加えて、容器が空になるまでの全期間にわたって内容物の無菌性が保証されなければならない薬学的又は他の用途に関して、利用しうる満足な解決方法は今までなかった。これは、同時に経済的理由のため、閉止キャップが製造しやすく、容器に適用しやすくなければならない場合に特に当てはまる。
【０００４】
本発明の目的は、これらの要件すべてを満たす当該閉止キャップを提供することである。
【０００５】
この目的は、本発明にしたがって、請求の範囲に定義する特徴を有する閉止キャップによって達成される。以下、添付図面を参照しながら本発明の好ましい実施態様を記載する。
【０００６】
図示する閉止キャップは、円柱形又はわずかに円錐形のスカート２及び本質的に平坦な円形のカバー３を有する主部１からなる。使用時には、スカート２が容器４のネックにぴったり嵌まる。このために、スカート２の内面には、内向きの環状突起５が設けられ、この突起により、キャップは、容器ネックの周囲の対応する外向きの環状縁（図示せず）の上にスナップ嵌めされる。これは当該技術で周知である。
【０００７】
カバーは、本質的に平坦であるが、その上面に凹んだトラフ６を有する。トラフ６は、側壁７〜９及び底１１を有する。本質的に円柱形の側壁部７が、キャップの中心軸を一周の大部分、すなわち約３３０゜包囲している。トラフ６は、片側で、すなわち、一周の残り部分の方向で、閉止キャップのスカート２に達するまで延びている。このため、トラフ６は、半径方向に延びる側壁部８を有している。トラフ６は、スカート２で、傾斜する側壁部９を有している。側壁のこの形状の結果として、底１１は、上から見ると、両脇が斜めに広がる略鍵穴形である。
【０００８】
円柱形側壁部７には、閉止キャップの軸又は中心に向けて突出する環状の出っ張り１２が設けられている。開口１３が底１１の円形部分の中心に同軸に設けられている。
【０００９】
トラフ６は、たたみ込み可能な流し口１４の受け座である。たたみ込み可能な流し口１４は、球形のベアリング部１５及び細長いくちばし部１６からなる。通路１７がベアリング部１５及びくちばし部１６の中を延び、両端で開口している。
【００１０】
球形のベアリング部１５は、その直径が出っ張り１２の最小直径よりもわずかに大きいような寸法である。出っ張りの軸方向位置は、その最小直径とトラフ６の円形部分の最低地点の高さとの間の距離が球形ベアリング部１５の直径よりもわずかに大きくなるような位置である。この寸法の形状の結果として、球形ベアリング部１５は、トラフ６の円柱形部分に押し込まれると、図２に示す、適切に保持される位置にパチンと嵌まる。同時に、球形ベアリング部１５の下面が開口１３を塞ぐ。
【００１１】
パチンと嵌まった位置では、球形ベアリング部１５の受け座が流し口を回転させて、くちばし部１６を、通路が開口と一直線に並ぶ直立位置に戻すことができる。したがって、この位置で、液体は容器の内部から開口及び通路を通って流れ出ることができる。
【００１２】
くちばし部１６は、傾斜した壁部９に当接する傾斜した前面１８を有する。くちばし部１６は、傾斜した壁部９の上縁よりも上に、くぼみ２１の両側でスカート２の外面を越えて延びる二つの蓋１９を有している。
【００１３】
流し口部のくぼみ２１は、薄い帯状のプレート２２によってスカート２に接続され、このプレートは、スカート２及び流し口へのその接続部分で厚みを減らした区域２３を有している。厚みを減らした区域２３が、画定される破断区域を構成する。プレート２２は、その中央部分の側面に、初めて容器から液体を抜き取るときにプレートをちぎるためのグリップとして働く本質的に半円形の平坦な延長部２４を有している。したがって、プレートは不正行為防止シールを構成する。
【００１４】
閉止キャップのすべての部品、すなわちスカート２、カバー、流し口及びプレート２２は、図３に示す配置で一体化された部品として成形される。閉止キャップを成形型から取り外したのち、流し口は、図３で矢印によって示されるように、トラフ６にたたみ込まれる。二つのヒンジ２３を中心にして完全にたたみ込まれると、球形ベアリング部１５がその受け座にパチンと嵌まり、閉止キャップを容器に取り付ける準備が整う。
【００１５】
使用者が最初の量の液体を抜き取ることを意図するとき、使用者はまず、手の爪又は工具でプレート２２を取り除く。そして、くちばし部１６の二つの蓋を持ち上げることによって流し口を直立位置まで回動させる。所望の量の液体を抜き取ったのち、流し口を回動させてトラフ６の中に戻し、それにより、開口を塞ぐと同時に通路を傾斜した側壁部の背後に隠してそれを汚染から保護する。
【図面の簡単な説明】
【図１】
本発明の実施態様の閉止キャップの斜視図である。
【図２】
図１のＡ−Ａ線から見た断面図である。
【図３】
同じ面から見た、ただしたたみ込まれていないもう一つの断面図である。
【国際公開パンフレット】
2004502603.tif 000003
2004502603.tif 000004
2004502603.tif 000005
2004502603.tif 000006
2004502603.tif 000007
2004502603.tif 000008
2004502603.tif 000009
2004502603.tif 000010
【国際公開パンフレット（コレクトバージョン）】
2004502603.tif 000011
2004502603.tif 000012
【国際調査報告】
2004502603.tif 000013
2004502603.tif 000014